(57)【要約】【課題】義肢や装具を製作するとき、固化剤を保持した整形外科用固定包帯を水に浸し幹部に巻いて陰性モデルをつくっている。しかし水に浸した包帯を患部に均一に巻く作業は熟練を要する。固化後にモデルを患部から外す際にはガイド紐に沿ってカッターで切開する作業は、効率も悪く作業者と患者に緊張を強いることになる。また、寝たきり患者の体幹モデル作成では水に浸した包帯を体に巻いて採形をする作業は、一人作業が難しく二人作業となり効率が悪い。【解決手段】固化剤を塗布した包帯生地を所定の形状に裁断した整形外科用固定包帯片同士をファスナーで連結した整形外科用固定包帯。【選択図】図１
2015154900.tif 000002
【特許請求の範囲】
【請求項１】
固化剤を保持した包帯生地を所定の形状に裁断した整形外科用固定包帯片、又は包帯生地を所定の形状に裁断した整形外科用固定包帯片に固化剤を保持させた包帯片をファスナーで連結した整形外科用固定包帯。
【請求項２】
包帯生地を所定の形状に裁断する際に長方形に裁断し、用途別に異なる整形外科用固定包帯の製品寸法に適合させる目的で長方形の寸法を変更する「請求項１」に記載の整形外科用固定包帯。
【請求項３】
「請求項１」又は「請求項２」に記載の整形外科用固定包帯を、軟らかいシート状の密封材で包んで湿気を遮断し空気に触れないように密封処理をした整形外科用固定包帯。
【請求項４】
シート状の密封材にプラスチックシート、アルミシート、アルミシートとその他のシートを貼り合せたシートのいずれかを採用した「請求項３」に記載の整形外科用固定包帯。
【発明の詳細な説明】
【技術分野】
【０００１】本発明は、整形外科の医療において上肢、下肢，体幹等の装具を製作するために患部の陽性モデルを使用するが、陽性モデルを製作するには先ず陰性モデルを製作してその陰性モデルを使って陽性モデルを製作する。この陰性モデル製作に使用される包帯生地に固化剤を保持した整形外科用固定包帯、ギブス包帯を使用して陰性モデルを製作する作業の効率化をするために、従来から使用されている整形外科用固定包帯の製品形態の改良に関する。
【背景技術】
【０００２】従来から上下肢用装具や体幹用装具、又は義足を製作する際には患部の形状を正しく採形するために、固化剤として焼き石膏のほかポリウレタン樹脂やイソシアネート官能性ポリマーを保持してロール状に巻かれた整形外科用固定包帯を水に浸して患部に巻き付けて固化させ、数分後固化剤が半分くらい硬化後に、ギブス包帯を巻くときに同時に巻き込んだガイド紐に沿ってカッターで切開して患部から外して陰性モデルを製作するのが常である。（図４、図５）【０００３】いずれの従来方式においても水に浸したギブス包帯を患部に巻きつけるのでモデルの厚みを均一に製作することが難しい。特にギプス包帯の場合は熟練を要する作業となる。又患部に巻いた包帯を半硬化後に患部から取外すには、ガイド紐に沿ってカッターで切開してとり外すが、刃物を使うために作業者と患者に大きな緊張を強いることになる。陰性モデルの仕上げ厚さにバラつきを生じ、極端に薄いところがあると、特にギプスモデルの運搬や取扱い時に薄肉部が破損したりしてしまう不都合が生じ易い。また、寝たきりの患者の体幹の採形に際しては固定包帯を巻く作業は一人では難しく、体幹の上半分を採型の後、下半分を採型したモデルを石膏包帯でつなぎあわせるなど大仰な作業となり作業効率も悪い。【０００４】しかし、固化剤を保持した固定包帯による採形作業は、旧態依然として患部に、水に浸した整形外科用固定包帯を巻きつける方法が採用されているのが現状である。特許電子図書館によりキーワード「ギプス包帯」、「採形」、「キャスティングテープ」、「整形外科用固定包帯」で検索し調査したが、固定包帯やキャスティングテープ自体の性能の改善や製造方法に係る件名はかなり出願されているが、固化剤を保有した整形外科用固定包帯の取扱い作業性に関するものは見つからなかった。【０００５】
【発明の概要】
【発明が解決しようとする課題】
【０００６】水に浸した整形外科用固定包帯を巻く従来式方法の欠点は、ギブスモデルを均一の厚さに仕上げることに熟練を要することと、水分を保有したテープ状の整形外科用固定包帯を患部に巻付けていく作業は患部の部位にもよるがかなり効率が悪い作業である。たとえば膝関節用の陰性モデルの製作には平均約７分を要する。更に硬化剤が半固化後にカッターを使って、ガイド紐に沿ってモデルを切開する作業は、作業者のみならず患者にも緊張を強いるものであるし作業効率も悪い。【０００７】また、寝たきり患者の体幹装具の陰性モデル製作となると、テープ状の整形外科用固定包帯を巻付ける作業は一人作業ができないうえに、体幹の上下半分ずつを採型した陰性モデルを陽性モデル製作時には石膏包帯またはホッチキスなどでつなぎ合せるなどの手間暇が掛かるので、製作所要時間は約２０分以上と効率が悪い。【０００８】そこで本発明では、固化剤を保有した包帯生地を所定の形状に裁断し或いは包帯生地を所定の形状に裁断した整形外科用固定包帯片３に固化剤を保持させて、整形外科用固定包帯片３を必要枚数つなぎファスナー６で連結した整形外科用固定包帯１を提案する。【０００９】従来から多く使われている焼き石膏を固化剤とした整形外科用固定包帯等では、薄いガーゼ生地が使われており、陰性モデルに必要な強度をもたすために複数枚重ねる必要がある。（図２の▲１▼）  このような薄い包帯生地を重ねて使用する場合には、包帯片３の取扱い上バラケ防止対策として縁をミシン縫いする。（図２の▲２▼）【００１０】本発明になる整形外科用固定包帯１を使用した陰性モデル製作の作業手順は、前記整形外科用固定包帯１を水に浸し、ファスナー側を上にして患部に乗せて（（図３）の▲２▼）垂れ下がった整形外科用固定包帯の端をファスナー６と反対側で重ねて貼合せて固化するのを待つ。固化剤が半分くらい固化後にファスナー６開いて陰性モデルを患部から外す。（（図３）の▲４▼）これにより初心者でも陰性モデルの仕上がり厚さのバラつきを気にすることなく、水に浸したテープ状のギプス包帯を患部に巻きつける作業時間を膝関節の陰性モデル製作の場合で従来方式の約３分の一にできる。【００１１】また寝たきり患者の場合も、水に浸した整形外科用固定包帯のファスナー部を中心にして広げておきその上に転がって移動させて体幹にまきつけて固化するのをまつことにすれば一人作業も可能で陰性モデル製作時間も大幅に短縮可能となる。そのうえ陽性モデル製作時に、ファスナーを閉じることで陰性モデルが出来上がるのでつなぎ合せる作業が必要なくなる。
【課題を解決するための手段】
【００１２】請求項１に記載の整形外科用固定包帯１は、固化剤を保持した包帯生地を所定の形状に裁断した整形外科用固定包帯片３、又は包帯生地を所定の形状に裁断した整形外科用固定包帯片３に固化剤を保持させて当該包帯片をファスナーで連結した整形外科用固定包帯１である。【００１３】これにより水に浸したギブス包帯を脚部に巻き付ける作業（図４）が簡略化され、半固化した陰性モデルをカッターで脚部から切開する作業もファスナーを開く作業に簡略化できる。【００１４】請求項１では包帯片をファスナーで連結する前に固化剤を保持させたケースを記述しているが、固化剤を保持させる工程はファスナーで固定包帯片を連結して整形外科用固定包帯の外形が仕上がった（（図２）の▲３▼）後でも同様の効果は期待できる。【００１５】請求項２に記載の整形外科用固定包帯１は、包帯生地を長方形に裁断し（（図２）の▲１▼）、整形外科用固定包帯片３を製作する際に、長方形の寸法を用途別に異なる整形外科用固定包帯１の要求サイズに適合させる目的で変更する請求項１に記載の整形外科用固定包帯１である。【００１６】これにより体幹用固定包帯片では長方形をおおきく、脚部用、足部用はそれぞれのサイズに合わせたサイズの長方形に裁断して包帯片を製作して、用途向きに必要とされる数の包帯片３を縫い合わせて整形外科用固定包帯１を仕上げることができ、用途ごとに要求される各種サイズにも容易に対応が可能となる。また生地の裁断作業も容易で裁断ロスが少なく歩留まりもよくなる。【００１７】請求項３に記載の整形外科用固定包帯は、請求項１又は請求項２に記載の整形外科用固定包帯１を、軟らかいシート状の密封材で包んで湿気を遮断し空気に触れないように密閉処理をした整形外科用固定包帯８である。【００１８】これにより包帯生地に保持させた固化剤が吸湿して固化することを防止し長期間の保存を可能とできる。【００１９】請求項４に記載の整形外科用固定包帯８は、シート状の密封材にアルミシート、アルミシートとその他のシートを貼り合せたシートを採用した請求項３に記載の整形外科用固定包帯８である。【００２０】これにより整形外科用固定包帯の防湿対策に要するコストを抑えて保管時のスペース効率を上げることができる上に採型作業時の開封作業など取扱いを簡略化できる。
【発明の効果】
【００２１】本発明によれば、装具製作に係る患部の陰性モデル製作作業において、初心者でも容易に陰性モデルの仕上がり厚を一定以上に出来るし、固化後に陰性モデルの切開作業でカッターを使う必要がなく、寝たきり患者の体幹モデルの製作においても一人作業を可能と出来るなど、従来のロール状に巻いた整形外科用固定包帯による作業に比べて大幅な時間短縮が可能となる。ちなみに膝関節症用の陰性モデル製作においては３〜４分掛っていたものが１分以内に短縮可能で、寝たきり患者の体幹モデル製作においては従来２人で２０分以上を要する作業を一人で１０分以内に効率化できる。
【図面の簡単な説明】
【００２２】
【図１】本発明の整形外科用固定包帯の外観図
【図２】本発明の整形外科用固定包帯の製作工程略図
【図３】本発明の整形外科用固定包帯を使用した膝関節部陰性モデル製作手順略図
【図４】水に浸したギブス包帯を巻き陰性モデルを作る作業風景（従来方式）
【図５】カッターで切開して脚部から外した陰性モデル（従来方式）
【図６】陰性モデルと陰性モデルを使って製作した陽性モデル（従来方式）
【発明を実施するための形態】
【００２３】本発明の第１の実施形態による整形外科用固定包帯１は、ガーゼなど固化剤を保持した包帯用生地を所定の形状に裁断し、バラケ処理した整形外科用固定包帯片３をファスナーで連結した整形外科用固定包帯１である。
【００２４】固化剤を包帯生地に保有させる手順は包帯用の包帯生地を裁断後、複数枚のときには重ねてバラケ防止処理４をした後でもファスナー６で連結して固定包帯の外形が仕上がった後でも以降の作業に影響はない。この実施の形態によることで初心者でも陰性モデルの仕上がりを一定厚さ以上に保持でき、作業者や患者に余計な緊張感を強いることなく、陰性モデルの切開を容易に可能と出来る上に作業効率の大幅改善を可能と出来る。
【００２５】本発明の第２の実施形態による整形外科用固定包帯１は、包帯生地を所定の形状に裁断する際に長方形に裁断し、用途別に異なる整形外科用固定包帯１の要求サイズに適合させる目的で長方形のサイズを変更することを特徴とする請求項１に記載の整形外科用固定包帯１である。これにより部位ごとや患者の体形によって異なる整形外科用固定包帯１の要求サイズに柔軟に対応可能と出来る。
【００２６】  本発明の第３の実施形態による整形外科用固定包帯８は、請求項１又は請求項２に記載の整形外科用固定包帯１を、適当な大きさに折り畳んで、軟らかいシート状の密封材で包んで湿気を遮断し空気に触れないように密閉処理をしたことを特徴とする整形外科用固定包帯８である。（図２の▲４▼）
これにより使用時の開封作業を簡単にし、湿気と空気を遮断できるので長期保存が可能とできる。
【００２７】本発明の第４の実施形態は、軟らかいシート状の密封材にプラスチックシート、アルミシート、アルミシートとその他シートを貼り合せたシートを採用したことを特徴とする請求項３に記載の整形外科用固定包帯８である。これにより使用時の開封作業を簡単にし、保管のスペース効率よく長期間保存が可能となる。
【実施例】
【００２８】本発明の実施例について図面に従って説明をする。図１は本発明になる整形外科用固定包帯１の完成図と各部の名称である。図２は整形外科用固定包帯片製作の一実施形態を示す。図２において、▲１▼固化剤を塗布した包帯用生地を所定サイズの長方形２に裁断する。▲２▼包帯生地がガーゼなど薄くて柔らかいときは裁断した包帯用生地を数枚重ねる。重ねる枚数は仕上がり陰性モデルに必要な強度を考慮して決める。複数枚重ねたときは、ミシンによる縁縫い４などバラケ防止処理をして整形外科用固定包帯片３を製作する。▲３▼整形外科用固定包帯片３を必要枚数つないでファスナーで連結して整形外科用固定包帯１を仕上げる。▲４▼適当な大きさに折り畳んで▲５▼防湿シート製の袋に密封して整形外科用固定包帯８を製品化する。【００２９】次に、本発明の整形外科用固定包帯１による膝関節部陰性モデル１１の製作作業手順を図３に準じて説明する。▲１▼防湿処理した包装袋から取出した整形外科用固定包帯１を▲２▼水に浸し９膝関節部に被せてファスナーの反対側で包帯片が重なるように脚形状に沿って手で倣して仕上げる▲３▼。数分経過して固化財が半分くらい固化したところで▲４▼ァスナーを開いて膝部から外して陰性モデル１１ができる。
【符号の説明】
【００３０】１      本発明になる整形外科用固定包帯（防湿包装前）
２      包帯生地を裁断した長方形の生地片
３      長方形の生地片をバラケ処理した固定包帯片
４      包帯生地片をバラケ処理した時のミシン目
５      固定包帯片同志を必要枚数縫合わせるためのミシン目
６      ファスナー
７      固定包帯片をファスナーでつなぎ合わせたミシン目
８      防湿処理（包装）した整形外科用固定包帯
９      水に浸した整形外科用固定包帯
１０    ファスナーの反対側で固定包帯を重ねた重ね代部
１１    完成した陰性（ギブス）モデル
２１    水に浸した固化剤を保持した整形外科用固定包帯（従来方式）
２２    採型作業後カッターで切開した陰性モデルの開口部（従来方式）
２３    陰性モデル（従来方式）
２４    陰性モデルを使って製作した陽性モデル（従来方式）
２５    切開用のガイド紐（従来方式）
【図１】
2015154900.tif 000003
【図２】
2015154900.tif 000004
【図３】
2015154900.tif 000005
【図４】
2015154900.tif 000006
【図５】
2015154900.tif 000007
【図６】
2015154900.tif 000008